【手続補正書】
【提出日】平成18年7月24日(2006.7.24)
【手続補正１】
【補正対象書類名】明細書
【補正対象項目名】発明の名称
【補正方法】変更
【補正の内容】
【発明の名称】付属装置接続状態検出方法および画像形成装置
【手続補正２】
【補正対象書類名】明細書
【補正対象項目名】特許請求の範囲
【補正方法】変更
【補正の内容】
【特許請求の範囲】
【請求項１】  処理機能を有する複数の付属装置を実装可能に構成されるとともに、前記複数の付属装置の処理機能を個別に有効にするか無効するかを設定するための設定手段と、前記複数の付属装置の接続状態を検出する検出手段と、前記複数の付属装置毎に形成され、該付属装置を経由して前記設定手段と前記検出手段とを接続する複数の設定状態検出用信号経路とを有する後処理装置に用いられる付属装置接続状態検出方法であって、前記検出手段により前記複数の設定状態検出用信号経路から得られる信号に基づき前記複数の付属装置の処理機能がそれぞれ有効に設定されているか無効に設定されているかを検出する設定状態検出を行う工程と、前記設定手段を無効にして前記複数の設定状態検出用信号経路を実装状態検出用信号経路として使用可能にする工程と、前記検出手段により前記実装状態検出用信号経路として使用可能にされた前記複数の設定状態検出信号経路からそれぞれ得られる信号に基づき前記複数の付属装置の実装の有無をそれぞれ検出する実装状態検出を行う工程とを有することを特徴とする付属装置接続状態検出方法。
【請求項２】  前記設定手段は、前記複数の設定状態検出用信号経路を個別に開閉する手段からなり、前記設定手段により前記複数の設定状態検出用信号経路を個別に開閉することによって、前記複数の付属装置の処理機能の有効、無効を設定することを特徴とする請求項１記載の付属装置接続状態検出方法。
【請求項３】  前記複数の設定状態検出信号経路からそれぞれ得られる信号の電圧レベルに応じて前記設定状態検出を行い、前記実装状態検出用信号経路として使用可能にされた前記複数の設定状態検出信号経路からそれぞれ得られる信号の電圧レベルに基づき前記実装状態検出を行うことを特徴とする請求項１または２記載の付属装置接続状態検出方法。
【請求項４】  処理機能を有する複数の付属装置を実装可能に構成された後処理装置を有する画像形成装置において、前記後処理装置は、前記複数の付属装置の処理機能を個別に有効にするか無効するかを設定するための設定手段と、前記複数の付属装置の処理機能がそれぞれ有効に設定されているか無効に設定されているかを検出する設定状態検出および前記複数の付属装置に対してそれぞれの実装の有無を検出する実装状態検出を行う検出手段と、前記複数の付属装置毎に形成され、該付属装置を経由して前記設定手段と前記検出手段とを接続する複数の設定状態検出用信号経路と、前記設定手段を無効にして前記複数の設定状態検出用信号経路を前記実装状態検出に使用可能な実装状態検出用信号経路とするための切換手段とを備え、前記検出手段は、前記複数の設定状態検出用信号経路からそれぞれ得られる信号に基づき前記設定状態検出を行い、前記切換手段により前記実装状態検出用信号経路とされた前記複数の設定状態検出用信号経路からそれぞれ得られる信号に基づき前記実装状態検出を行うことを特徴とする画像形成装置。
【請求項５】  前記検出手段は、前記切換手段を制御するための制御手段を有し、前記制御手段は、前記実装状態検出を行う際に、前記複数の設定状態検出用信号経路を前記実装状態検出用信号経路としてするように前記切換手段を制御することを特徴とする請求項４記載の画像形成装置。
【請求項６】  前記設定手段は、前記複数の設定状態検出用信号経路を個別に開閉する手段からなり、前記設定手段により前記複数の設定状態検出用信号経路を個別に開閉することによって、前記複数の付属装置の処理機能の有効、無効を設定することを特徴とする請求項１１または１２記載の画像形成装置。
【請求項７】  前記検出手段は、前記複数の状態設定検出用信号経路からそれぞれ得られる信号の電圧レベルに応じて前記設定状態検出および前記実装状態検出を行うことを特徴とする請求項４ないし６のいずれか１つに記載の画像形成装置。
【請求項８】  前記複数の付属装置への電力供給を行う電力供給手段を備え、前記複数の状態設定検出用信号経路からそれぞれ得られる信号を電力供給用制御信号として取り込み、該電力供給用制御信号として取り込まれた信号のそれぞれに基づき前記各付属装置への電源供給を制御することを特徴とする請求項４ないし７のいずれか１つに記載の画像形成装置。
【請求項９】  前記電力供給手段は、前記電力供給用制御信号として取り込まれた信号のそれぞれに基づき前記処理機能が無効に設定された付属装置を判別し、前記処理機能が無効に設定された付属装置への電源供給を停止することを特徴とする請求項８記載の画像形成装置。
【手続補正３】
【補正対象書類名】明細書
【補正対象項目名】０００１
【補正方法】変更
【補正の内容】
【０００１】
【発明の属する技術分野】
本発明は、後処理装置に用いられる付属装置接続状態検出方法および後処理装置を有する画像形成装置に関する。
【手続補正４】
【補正対象書類名】明細書
【補正対象項目名】００１３
【補正方法】変更
【補正の内容】
【００１３】
本発明の目的は、付属装置の数の増加に起因するコストアップを招くことなく、付属装置に対する処理機能の有効、無効の設定および実装状態の検出を行うことができる付属装置接続状態検出方法および画像形成装置を提供することにある。
【補正の内容】
【手続補正５】
【補正対象書類名】明細書
【補正対象項目名】００１４
【補正方法】変更
【補正の内容】
【００１４】
【課題を解決するための手段】
本発明は、処理機能を有する複数の付属装置を実装可能に構成されるとともに、前記複数の付属装置の処理機能を個別に有効にするか無効するかを設定するための設定手段と、前記複数の付属装置の接続状態を検出する検出手段と、前記複数の付属装置毎に形成され、該付属装置を経由して前記設定手段と前記検出手段とを接続する複数の設定状態検出用信号経路とを有する後処理装置に用いられる付属装置接続状態検出方法であって、前記検出手段により前記複数の設定状態検出用信号経路から得られる信号に基づき前記複数の付属装置の処理機能がそれぞれ有効に設定されているか無効に設定されているかを検出する設定状態検出を行う工程と、前記設定手段を無効にして前記複数の設定状態検出用信号経路を実装状態検出用信号経路として使用可能にする工程と、前記検出手段により前記実装状態検出用信号経路として使用可能にされた前記複数の設定状態検出信号経路からそれぞれ得られる信号に基づき前記複数の付属装置の実装の有無をそれぞれ検出する実装状態検出を行う工程とを有することを特徴とする。
【手続補正６】
【補正対象書類名】明細書
【補正対象項目名】００１５
【補正方法】変更
【補正の内容】
【００１５】
本発明は、処理機能を有する複数の付属装置を実装可能に構成された後処理装置を有する画像形成装置において、前記後処理装置は、前記複数の付属装置の処理機能を個別に有効にするか無効するかを設定するための設定手段と、前記複数の付属装置の処理機能がそれぞれ有効に設定されているか無効に設定されているかを検出する設定状態検出および前記複数の付属装置に対してそれぞれの実装の有無を検出する実装状態検出を行う検出手段と、前記複数の付属装置毎に形成され、該付属装置を経由して前記設定手段と前記検出手段とを接続する複数の設定状態検出用信号経路と、前記設定手段を無効にして前記複数の設定状態検出用信号経路を前記実装状態検出に使用可能な実装状態検出用信号経路とするための切換手段とを備え、前記検出手段は、前記複数の設定状態検出用信号経路からそれぞれ得られる信号に基づき前記設定状態検出を行い、前記切換手段により前記実装状態検出用信号経路とされた前記複数の設定状態検出用信号経路からそれぞれ得られる信号に基づき前記実装状態検出を行うことを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００９７
【補正方法】変更
【補正の内容】
【００９７】
【発明の効果】
以上説明したように、本発明によれば、付属装置の数の増加に起因するコストアップを招くことなく、付属装置に対する処理機能の有効、無効の設定および実装状態の検出を行うことができる。
【手続補正２３】
【補正対象書類名】明細書
【補正対象項目名】００９８
【補正方法】削除
【補正の内容】
【手続補正２４】
【補正対象書類名】明細書
【補正対象項目名】００９９
【補正方法】削除
【補正の内容】